(57)【要約】【課題】同一タイミングでの制御チャネルＣＣＨの伝送を回避する基地局および情報送信方法を提供する。【解決手段】ＴＤＭＡ／ＴＤＤ方式を採用して同一タイミングでデータを送信および受信する複数の通信方式により、無線通信を行う基地局は、所定数の通信フレームに含まれる、自局が制御情報を送信可能な各送信タイミングにおける、各通信方式に対応する受信品質値を検出し、検出した各通信方式の各送信タイミングが重ならない組み合わせを抽出し、当該組み合わせのうち、各通信方式における品質値の和が最も低い組み合わせに応じて、各通信方式における前記制御情報の送信タイミングを設定する。【選択図】図２
2011176516.tif 000002
【特許請求の範囲】
【請求項１】
ＴＤＭＡ／ＴＤＤ方式を採用して同一タイミングでデータを送信および受信する複数の通信方式により、無線通信を行う基地局であって、
第１の通信方式においてデータを送受信する第１送受信手段と、
第２の通信方式においてデータを送受信する第２送受信手段と、
所定数の通信フレームに含まれる、自局が制御情報を送信可能な各送信タイミングにおける、各通信方式に対応する受信品質値を検出する検出手段と、
前記検出手段により検出された各通信方式の各送信タイミングが重ならない組み合わせを抽出し、当該組み合わせのうち、各通信方式における品質値の和が最も低い組み合わせに応じて、各通信方式における前記制御情報の送信タイミングを設定する設定手段と、
を備えることを特徴とする基地局。
【請求項２】
前記設定手段は、前記各送信タイミングが重ならない組み合わせとし、前記第１の通信方式と前記第２の通信方式で前記制御情報を送信する送信タイミングを、通信フレームにおける同一送信タイムスロット、かつ、異なる通信フレームとなる組み合わせを抽出する、
ことを特徴とする請求項１に記載の基地局。
【請求項３】
ＴＤＭＡ／ＴＤＤ方式を採用して同一タイミングでデータを送信および受信する複数の通信方式により、無線通信を行う基地局の情報送信方法であって、
所定数の通信フレームに含まれる、自局が制御情報を送信可能な各送信タイミングにおける、各通信方式に対応する受信品質値を検出するステップと、
前記検出ステップにおいて検出された各通信方式の各送信タイミングが重ならない組み合わせを抽出し、当該組み合わせのうち、各通信方式における品質値の和が最も低い組み合わせに応じて、各通信方式における前記制御情報の送信タイミングを設定するステップと、
を有することを特徴とする情報送信方法。
【発明の詳細な説明】
【技術分野】
【０００１】
本発明は、基地局および情報送信方法に関する。
【背景技術】
【０００２】
基地局と移動局が、時分割多元接続（ＴＤＭＡ：Time Division Multiple Access）方式および時分割複信（ＴＤＤ：Time Division Duplex）方式を組み合わせた通信方式で相互に通信を行う無線通信システムとし、ＰＨＳ（Personal Handy-phone System）がある。
【０００３】
このＰＨＳの通信フレームは、図５に示されるように、ＴＤＭＡにおける最小単位であるスロットＴＸ１〜４およびＲＸ１〜４によって構成される。ＴＤＤによって、スロットＴＸ１〜４は下り回線（基地局から移動局方向）に使用され、一方、スロットＲＸ１〜４は上り回線（移動局から基地局方向）に使用される。さらに、複数の通信フレーム（フレーム１〜２０）によってスーパーフレームが構成される。そして、各通信フレーム１〜２０のそれぞれのＴＸ１に、各基地局から移動局へ伝送する制御チャネルＣＣＨが割り当てられる（例えば、特許文献１を参照）。
【０００４】
また、複数の移動局が直交関係にある全サブキャリアを共有し、基地局が当該全サブキャリアの中のいくつかのサブキャリアの集まりを１つのグループとして各移動局に割り当てる直交周波数分割多元接続（ＯＦＤＭＡ：Orthogonal Frequency Division Multiple Access）方式に、ＴＤＭＡ方式およびＴＤＤ方式を組み合わせた新しい通信方式としてＸＧＰ（eXtended Global Platform）がある（例えば、非特許文献１を参照）。
【０００５】
このＸＧＰの通信フレームは、上述するＰＨＳのように、サブキャリアがＴＤＭＡの最小単位であるスロットＴＸ１〜４およびＲＸ１〜４に分割される。また、同様のスーパーフレームを構成し、各通信フレーム１〜２０のそれぞれのＴＸ１に、各基地局から移動局へ伝送する制御チャネルＣＣＨが割り当てられる。なお、各スロット長および通信フレーム長は、ＰＨＳと同一の長さ（時間）である。
【先行技術文献】
【特許文献】
【０００６】
【特許文献１】特開２００７−１７４３５７号公報
【非特許文献１】“ARIB STD-T95 Version 1.2「OFDMA/TDMA TDD Broadband Wireless Access System (Next Generation PHS)」”、平成２１年３月１８日、社団法人電波産業会
【発明の概要】
【発明が解決しようとする課題】
【０００７】
現在、１つの基地局で、上述するＰＨＳとＸＧＰの通信方式をともに利用して、データの送受信を行うことが検討されている。しかしながら、ＰＨＳとＸＧＰにおけるデータ送受信のタイミングが同期している場合、ＰＨＳとＸＧＰの各制御チャネルＣＣＨを伝送するタイミングが、同一となる可能性がある。そのため、例えば、１つの無線部しか備えていない移動局においては、同一のタイミングにて送信された制御チャネルＣＣＨのうち、何れか一方の通信方式に対応する制御チャネルＣＣＨしか受信できない問題が生じることとなる。
【０００８】
そこで、本発明は、異なる複数の通信方式にてデータを送信可能な基地局において、同一タイミングでの制御チャネルＣＣＨの伝送を回避する基地局および情報送信方法を提供することを目的とする。
【課題を解決するための手段】
【０００９】
本発明に係る基地局は、ＴＤＭＡ／ＴＤＤ方式を採用して同一タイミングでデータを送信および受信する複数の通信方式により、無線通信を行う基地局であって、第１の通信方式においてデータを送受信する第１送受信手段と、第２の通信方式においてデータを送受信する第２送受信手段と、所定数の通信フレームに含まれる、自局が制御情報を送信可能な各送信タイミングにおける、各通信方式に対応する受信品質値を検出する検出手段と、前記検出手段により検出された各通信方式の各送信タイミングが重ならない組み合わせを抽出し、当該組み合わせのうち、各通信方式における品質値の和が最も低い組み合わせに応じて、各通信方式における前記制御情報の送信タイミングを設定する設定手段と、を備える。
【００１０】
本発明に係る通信装置は、前記設定手段は、前記各送信タイミングが重ならない組み合わせとし、前記第１の通信方式と前記第２の通信方式で前記制御情報を送信する送信タイミングを、通信フレームにおける同一送信タイムスロット、かつ、異なる通信フレームとなる組み合わせを抽出する。
【００１１】
本発明に係る情報送信方法は、ＴＤＭＡ／ＴＤＤ方式を採用して同一タイミングでデータを送信および受信する複数の通信方式により、無線通信を行う基地局の情報送信方法であって、所定数の通信フレームに含まれる、自局が制御情報を送信可能な各送信タイミングにおける、各通信方式に対応する受信品質値を検出するステップと、前記検出ステップにおいて検出された各通信方式の各送信タイミングが重ならない組み合わせを抽出し、当該組み合わせのうち、各通信方式における品質値の和が最も低い組み合わせに応じて、各通信方式における前記制御情報の送信タイミングを設定するステップと、を有する。
【発明の効果】
【００１２】
複数の通信方式にてデータを送信可能な基地局から送信される制御チャネルＣＣＨを、異なる送信タイミングで送信でき、移動局における同一タイミングで異なる通信方式の制御チャネルＣＣＨを受信しなければならない状況を回避することができる。
【図面の簡単な説明】
【００１３】
【図１】本発明の実施形態に係る無線通信システムの構成を示す図である。
【図２】本実施形態に係る基地局の機能ブロック図である。
【図３】本実施形態に係る基地局の処理を示すフロー図である。
【図４】本実施形態に係る基地局におけるＰＨＳおよびＸＧＰにおける制御チャネルＣＣＨの送信タイミングの一例を示す図である。
【図５】ＰＨＳおよびＸＧＰにおける、スロット、通信フレームおよびスーパーフレームを示す模式図である。
【発明を実施するための形態】
【００１４】
以下、本発明の一実施形態を図面に基づいて詳細に説明する。
【００１５】
図１は、本発明の一実施形態に係る無線通信システム１０を示す図である。同図に示すように、無線通信システム１０は、基地局２０と、移動局３０と、を含んで構成される。
【００１６】
そして、無線通信システム１０における、基地局２０と移動局３０は、ＴＤＭＡ／ＴＤＤ方式を採用する複数の通信方式のいずれかを利用してデータの送受信を行う。そして、複数の通信方式として、ＴＤＭＡ／ＴＤＤ方式を採用するＰＨＳ方式と、ＴＤＭＡ／ＴＤＤ方式およびＯＤＦＭＡ方式を採用するＸＧＰと、が利用される。この２つの通信方式は、図５に示されるスロット（ＴＸスロット、ＲＸスロット）、通信フレーム（４つのＴＸスロット、４つのＲＸスロットにて構成される）およびスーパーフレーム（２０の通信フレームにて構成される）が時間的に同期している。
【００１７】
図２は、無線通信システム１０における、基地局２０の機能ブロック図である。
【００１８】
基地局２０は、図２に示すように、アンテナＡＮＴと、第１送受信部２１０と、第２送受信部２２０と、制御部２３０と、を備える。
【００１９】
第１送受信部２１０は、ＰＨＳ方式に対応している。第１送受信部２１０は、制御部２３０から出力されたデータに対して、誤り検出符号の付加、符号化、変調などを施し、得られたデジタル信号をＤ／Ａ変換処理、アップコンバート処理、および増幅処理を行い、アンテナＡＮＴと介して移動局３０に無線信号を送信する。
【００２０】
また、第１送受信部２１０は、アンテナＡＮＴを介して受信した無線信号に対して増幅処理、ダウンコンバート処理、Ａ／Ｄ変換処理、復調、復号、誤り検出を施し、得られたデータを制御部２３０に出力する。
【００２１】
第２送受信部２２０は、ＸＧＰ方式に対応している。第２送受信部２２０は、制御部２３０から出力されたデータに、誤り検出符号の付加、符号化、変調などを施し、得られた複素シンボル列に、直並列変換、逆高速フーリエ変換、ＧＩの付加、並直列変換などを施す。さらに、第２送受信部２２０は、Ｄ／Ａ変換処理、アップコンバート処理、および増幅処理を行い、アンテナＡＮＴを介して移動局３０に無線信号を送信する。
【００２２】
また、第２送受信部２２０は、アンテナＡＮＴを介して受信した無線信号に対して、増幅処理、ダウンコンバート処理、Ａ／Ｄ変換処理を施す。さらに、直並列変換、ＧＩ（Guard Interval）の除去、高速フーリエ変換、並直列変換などを施し、得られた複素シンボル列に対して、復調、復号、誤り検出などを施し、得られたデータを制御部２３０に出力する。
【００２３】
制御部２３０は、たとえば中央処理装置（ＣＰＵ）およびＣＰＵに動作を制御するプログラム等により構成され、記憶部（図示しない）に記憶されるプログラムを用いて、基地局２０全体を管理及び制御し、無線通信を行う場合、移動局３０との無線通信を制御する。また、制御部２３０は、受信レベル検出部２３２と、送信タイミング設定部２３４と、メッセージ生成部２３６と、を機能的に含む。
【００２４】
受信レベル検出部２３２は、第１送受信部２１０および第２送受信部２２０から入力される信号に基づいて、基地局２０の使用周波数帯に属する通信フレームのスロットそれぞれの、ＰＨＳ方式と、ＸＧＰ方式と、における各受信レベルを表す品質値を検出する。受信レベル部５２で検出される品質値には、たとえば、キャリアセンス（妨害波測定）により検出されるＲＳＳＩ（Received Signal Strength Indication：受信信号強度）やＳＮＲ（Signal to Noise Ratio：信号対雑音電力比）などがある。
【００２５】
送信タイミング設定部２３４は、受信レベル検出部２３２で検出される品質値から、ＰＨＳ方式およびＸＧＰ方式における制御チャネルＣＣＨの送信タイミングを設定する。送信タイミングは、１つのスーパーフレームに含まれる制御チャネルＣＣＨを送信可能なスロット（８０スロット）において、ＰＨＳ方式と、ＸＧＰ方式と、における品質値の合計が最も低い組み合わせに設定する。このとき、送信タイミング設定部２３４は、この制御チャネルＣＣＨの送信タイミングの設定にあたり、ＰＨＳ方式とＸＧＰ方式とで制御チャネルを送信する送信タイミングが重ならないよう、同一のスロットで、かつ、異なる通信フレーム（例えば、ＰＨＳ方式は通信フレーム１のＴＸ１で、ＸＧＰ方式は通信フレーム２のＴＸ１）となる組み合わせを抽出するようにする。そのうち、品質値の合計が最も低い値となる組み合わせを送信タイミングとして設定する。図４は、設定した送信タイミングの一例を示す図である。
【００２６】
メッセージ生成部２３６は、送信タイミング設定部２３４において設定されたＰＨＳ方式およびＸＧＰ方式の送信タイミングで送信する制御チャネルＣＣＨに関するメッセージを生成し、各送信タイミングに応じて、第１送受信部２１０、第２送受信部２２０に出力する。
【００２７】
図３は、無線通信システム１０における基地局２０の動作を示すフロー図である。図３に示すように、基地局２０は、スーパーフレーム（２０通信フレーム）ごとに、ＸＧＰ方式における各スロットＴＸの品質値と、ＰＨＳ方式における各スロットＴＸの品質値と、を検出する（ステップＳ３１、Ｓ３２）。次に、基地局２０は、検出した各方式の品質値のうち、ＰＨＳ方式とＸＧＰ方式とで制御チャネルを送信する送信タイミングが、同一のスロットで、かつ、異なる通信フレームとなる組み合わせを抽出する（ステップＳ３３）。次に、基地局２０は、抽出した各組み合わせにおける、ＸＧＰ方式における品質値と、ＰＨＳ方式における品質値と、の合計値を算出する（ステップＳ３４）。そして、合計値が最も低い組み合わせを、ＸＧＰ方式、ＰＨＳ方式における制御チャネルの送信タイミングとして設定する（ステップＳ３５）。
【００２８】
以上説明した無線通信システム１０によれば、複数の通信方式にてデータを送信可能な基地局２０から送信される制御チャネルＣＣＨを、異なる送信タイミングで送信することで、移動局３０は、同一タイミングで異なる通信方式の制御チャネルＣＣＨを受信しなければならない状況を回避することができる。また、同一の周波数帯域において、異なる通信方式が採用される無線通信システムにおいても、異なるタイミングで制御チャネルＣＣＨを伝送することができ、同一タイミングの伝送に伴う干渉を回避することができるだけでなく、１つの基地局で複数の通信方式をサポートできるため、周波数利用効率および設置する基地局の台数を低減することも可能となる。
【００２９】
本発明を諸図面や実施例に基づき説明してきたが当業者であれば本開示に基づき種々の変形や修正を行うことが容易であることに注意されたい。したがって、これらの変形や修正は本発明の範囲に含まれることを留意されたい。例えば、各構成部、各ステップなどに含まれる機能などは論理的に矛盾しないように再配置可能であり、複数の手段やステップなどを１つに組み合わせたり、或いは分割したりすることが可能である。
【符号の説明】
【００３０】
１０  無線通信システム、２０  基地局、３０  移動局、２１０  第１送受信部、２２０  第２送受信部、２３０  制御部、２３２  受信レベル検出部、２３４  送信タイミング設定部、２３６  メッセージ生成部。
【図１】
2011176516.tif 000003
【図２】
2011176516.tif 000004
【図３】
2011176516.tif 000005
【図４】
2011176516.tif 000006
【図５】
2011176516.tif 000007